(57)【要約】【課題】  固定局として扱われるファクシミリ端末に着信した画像データを、移動局で使用される携帯端末に転送することが可能な通信装置を提供する。【解決手段】  Ｇ３、Ｇ４又はＩＰ通信で行われるファクシミリ通信又はメール添付のファクシミリ通信で画像を受信した通信端末１に、この受信した画像を予め転送先が登録されたアドレスへ転送する際に、予め登録された線密度に変換し転送する制御機能を有する主制御部１１を備える。【選択図】  図２
2005268969.tif 000002
【特許請求の範囲】
【請求項１】
Ｇ３、Ｇ４又はＩＰ通信で行われるファクシミリ通信又はメール添付のファクシミリ通信で画像を受信した通信端末に、この受信した画像を予め転送先が登録されたアドレスへ転送する際に、予め登録された線密度に変換し転送する制御機能を有する主制御部を備えることを特徴とする通信装置。
【請求項２】
請求項１記載の通信装置において、主制御部は、Ｇ３、Ｇ４又はＩＰ通信で行われるファクシミリ通信又はメール添付のファクシミリ通信で受信した画像を、予め転送先が登録されたアドレスへ転送する際に、受信画像の一部を転送する制御機能を有することを特徴とする通信装置。
【請求項３】
請求項１記載の通信装置において、主制御部は、転送された画像データに対して線密度の変換を転送先から要求された場合に、線密度の再変換を行うと共に線密度を再変換した場合に転送先の最大能力分の画像を再送する制御機能を有することを特徴とする通信装置。
【請求項４】
請求項２記載の通信装置において、主制御部は、転送画像位置の変更指令を受信先より受け再送する制御機能を有することを特徴とする通信装置。
【発明の詳細な説明】
【技術分野】
【０００１】
本発明は、Ｇ３、Ｇ４、ＩＰ通信にて又はメールに添付されて通信されるファクシミリ装置、複合機、通信機能を備えたパーソナルコンピュータを含み、画像及び文字を伝達する通信装置に関するものである。
【背景技術】
【０００２】
ファクシミリ通信については、通信方式に合わせてＧ３、Ｇ４、ＩＰ通信が行われ、また、一般的に携帯端末を相手先とする画像通信はメールに添付しても行われる。このメール添付のファクシミリ通信の場合には、Ｔ．３７などの規定に合わせて画像線密度が変換される。ここで、ファクシミリ受信した画像を出力するに当たっては、紙で出力された形式、本体に装備された表示器で表示された形式、連携システムによりＰＣで画像閲覧する形式、等により閲覧あるいは確認できるようになっている。
また、画像を閲覧するシステムに関連する技術として、例えば特許文献１、２がある。
【特許文献１】特開２００３−１９６３８２公報
【特許文献２】特開２００３−２０４４００公報
【発明の開示】
【発明が解決しようとする課題】
【０００３】
上述したように、ファクシミリ受信した画像については、種々の形式で閲覧できるようにはなっている。しかし、従来では場所が固定されており、外出などの移動中には閲覧できない。また一般的に画像転送はメールに添付して行われるが、特許文献１、２に示す携帯電話に代表される携帯端末ではハードウェアの制約から表示能力に限りがある。
本発明は、固定局として扱われるファクシミリ端末に着信した画像データを、移動局で使用される携帯端末に転送することが可能な通信装置を提供することを目的とする。
【課題を解決するための手段】
【０００４】
上記目的を達成するために、請求項１記載の発明は、Ｇ３、Ｇ４又はＩＰ通信で行われるファクシミリ通信又はメール添付のファクシミリ通信で画像を受信した通信端末に、この受信した画像を予め転送先が登録されたアドレスへ転送する際に、予め登録された線密度に変換し転送する制御機能を有する主制御部を備える通信装置を最も主要な特徴とする。
請求項２記載の発明は、請求項１記載の通信装置において、主制御部は、Ｇ３、Ｇ４又はＩＰ通信で行われるファクシミリ通信又はメール添付のファクシミリ通信で受信した画像を、予め転送先が登録されたアドレスへ転送する際に、受信画像の一部を転送する制御機能を有する通信装置を主要な特徴とする。
請求項３記載の発明は、請求項１記載の通信装置において、主制御部は、転送された画像データに対して線密度の変換を転送先から要求された場合に、線密度の再変換を行うと共に線密度を再変換した場合に転送先の最大能力分の画像を再送する制御機能を有する通信装置を主要な特徴とする。
請求項４記載の発明は、請求項２記載の通信装置において、主制御部は、転送画像位置の変更指令を受信先より受け再送する制御機能を有する通信装置を主要な特徴とする。
【発明の効果】
【０００５】
本発明は、Ｇ３、Ｇ４又はＩＰ通信で行われるファクシミリ通信又はメール添付のファクシミリ通信で受信した画像を、予め転送先が登録されているアドレスへ転送する際に、予め登録された線密度に変換し転送する制御機能を有する主制御部を備えることで、ファクシミリ端末に着信した画像データを、移動局で使用される携帯端末に転送することが可能となる。
【発明を実施するための最良の形態】
【０００６】
以下添付図面を基に本発明の実施形態を説明する。
図１は通信ネットワークシステムを示す図である。通信端末１は本発明に係るファクシミリ送受信機能とＬＡＮ接続によるＩＰ通信機能を備えている。この通信端末１は、ファクシミリ端末や複合機などに相当する。端末２は一般的なファクシミリ端末で、通信端末１にファクシミリ送信を行う。携帯端末３は受信した画像を表示することが可能な携帯電話や、携帯コンピュータを示す。この携帯端末３は、電波を利用した通信機能を備え、電子メールの送受信が可能なものである。
本発明の実施形態は、通信端末１に例えばＧ３ファクシミリ受信を代表とする画像データの受信が行われた際の機能に特徴がある。画像データの受信は、このＧ３ファクシミリ受信のほか、Ｇ４ファクシミリ、Ｔ．３７によるメール受信、Ｔ．３８によるＩＰファクシミリ受信などが挙げられる。通信端末１にこれらの手段で画像を受信した場合に、予め転送先が登録された携帯端末３のアドレスに画像を転送することにある。
図２は図１に示す通信端末１のブロック図である。主制御部１１は、装置全体を制御する。この主制御装置１１の主な内部構成は、ＣＰＵ、このＣＰＵを動作させるためのプログラムやプログラム実行時の情報の格納に使うＲＯＭ、ＲＡＭである。
操作部１２は、ユーザーインタフェースとして、ＣＲＴやＬＣＤ等の表示器やＬＥＤ等のランプ、及びキーから構成され、操作入力及び表示出力を実現する。画像処理部１３は、伸張圧縮、画像の切り出し、線密度変換などの制御を行う。この画像処理部１３は、コンピュータなどにおいては、画像入力装置とのインターフェースになる場合もある。
データ蓄積部１４は、データの大量、長期保存などに使用するハードディスク等の不揮発性の二次記憶部である。本実施形態に利用されるデータ転送においては受信データの保管に使用される。
通信ユニット１５及び１６は回線種が異なる通信を制御するユニットである。該当する回線としてはアナログ一般加入回線、デジタル一般加入回線、ＬＡＮ等がある。通信手段はアナログ一般加入回線では、Ｇ３通信や、プロバイダー接続のためのデータ通信である。デジタル一般加入回線では、Ｇ４通信や、プロバイダー接続のためのデータ通信である。その他通信手段としては、ＡＤＳＬ接続などもある。ＬＡＮではルータやゲートウェイ接続として使用され、ＨＴＴＰ、ＦＴＰ、ＳＭＴＰ、ＰＯＰ等の通信が行われる。本実施形態ではアナログ一般加入回線接続によるＧ３通信とＬＡＮ接続によるＳＭＴＰ、ＰＯＰ通信を実施する。
【実施例１】
【０００７】
実施例１では、通信端末１に予め転送先のアドレスと転送先の表示性能に値する情報を登録する。表示性能は、表示可能な画素数や水平ドット数、垂直ドット数などである。図３の点線イまでが動作を示す。今、端末２から通信端末１に一般的な画像受信、例えばＧ３ファクス受信を受ける場合、端末２から端末１を呼び出しＧ３プロトコルにて通信し、切断によって終了する。ここでは、この端末１による受信画像を携帯端末３に転送する場合を例示する。
図４は、端末１にて受信した等倍画像を示す。画像受信が終了すると共に、端末１にて予め登録されている転送先の表示能力に合わせて画素数変換を行う。画素数変換後は再圧縮等を行いＳＭＴＰなどによる電子メール通信手段を使用して転送する。すなわち、端末１からは、ＳＭＴＰ送信にてメールサーバに送信され、携帯端末３ではＰＯＰにてメール受信が行われる。
図５は、画素数変更後の画像を示す。端末１から転送された電子メールは携帯端末３においてＰＯＰなどによる電子メールの受信が行われ、携帯端末３で受信された画像は、携帯端末３の表示機能により表示される。このときの表示は図５に示す画素数変換後の表示となる。
【実施例２】
【０００８】
この実施例２においては、通信端末１に予め転送先のアドレスと転送先の表示性能に値する情報を登録しておく。ここで表示性能とは、表示可能な画素数や水平ドット数、垂直ドット数などである。さらには、受信画像のうち特定した位置（部位）を登録しておく。例えば、受信画像が図４に示す画像とした場合、特定する位置を図６に示す様に８分割して特定する如きである。
実施例１と同様図３の点線イまでが画像転送動作を示す。また、予め登録される位置情報を図６で示すところの画像１とした場合、端末１にて画像受信が終了すると、予め登録された切り取り位置情報を基に画像１の切り出しを行う。その後、携帯端末３である転送先の最大能力分の表示能力に合わせて画素数変換を行う。画素数変換後は再圧縮等を行いＳＭＴＰなどによる電子メール通信手段を使用してメールサーバを介して転送する。
すなわち、端末１にて、部分切り出し及び画素数変更後の画像をメールサーバにＳＭＴＰ送信し、転送された電子メールは携帯端末３においてＰＯＰなどによる電子メールの受信が行われる。携帯端末３で受信された画像を、携帯端末３の表示機能で表示する。このときの表示は図７に示す画像表示となる。
【実施例３】
【０００９】
この実施例３では、実施例１で転送された電子メールの元画像を通信端末１で一定期間保持することを内容とする。また、転送する際の電子メールの表題（サブジェクト）もしくは本文に通信端末１で保持する画像の特定情報を記載する。携帯端末３で受けた電子メールが返信された場合に通信端末１にて画像特定を行う手段として利用する。
図３に携帯端末３である転送先から再送要求された場合の通信例を示す。すなわち、携帯端末３からメールサーバを介して通信端末１にＰＯＰによる画像再送要求が送信される。携帯端末３にて画像表示をさらに詳しく見るなどの目的で通信端末１に返信を行うものである。この際、携帯端末３では添付された画像はなくてもよい。通信端末１で再送要求である返信を受け取ると、既に保持されている受信画像の縮小率を先に送ったものより下げて拡大される。この縮小率を下げた結果に基いて、携帯端末３で表示できる画素数を切り取り、再圧縮を行って再転送を行う。
本実施例では、表題や本文などに縮小率を指定する手段を追加することも可能とする。この場合には、“ＳＣＬ＝１／２”など、予め縮小率を示す文字列を通信端末１で取り決め、これに従って縮小及び、画素数変換を行う。
【実施例４】
【００１０】
この実施例４では、実施例２で転送された電子メールの元画像を通信端末１で一定期間保持することを内容とする。また、転送する際の電子メールの表題（サブジェクト）もしくは本文に通信端末１で保持する画像の特定情報を記載する。携帯端末３で受けた電子メールが返信された場合に画像特定を行う手段として利用する。
図３に携帯端末３である転送先から再送要求における通信の実施例を示す。すなわち、携帯端末３からメールサーバを介して通信端末１にＰＯＰによる画像再送要求が送信される。携帯端末３にて表示をさらに詳しく見るなどの目的で通信端末１に返信を行うものである。この際、携帯端末３では添付された画像はなくてもよい。通信端末１で再送要求である返信を受け取ると、“ＰＩＸＮＯ＝２”など、予め画像位置を示す文字列を通信端末１で取り決め、これに従って実施例３で実施する部分切り出し位置の特定を行う。この返信メールを受信次第、通信端末１では部分切り出し位置を返信メールから特定し再転送を行う。
本発明では、転送する宛先である携帯端末３の表示能力に合わせて画像の線密度を変換することにより、携帯端末３での最大能力分の画像の表示が可能になる。また、画像の線密度を過不足無く削減することは、通信スピードとコストを軽減することにつながる。そのため、通信インフラのトラフィックを極力軽減し、確認するための通信コストを抑えることが可能となる。
また、宛先や要件などが記載される場所を予め登録し、部分的に切り出して転送することにより一層画像を読み易くすることができる。特にファクシミリ受信文書のフォームが予め判っている場合に効果が大きい。
また、移動中であっても容易に受信画像を確認することが可能となる。また、転送された画像データで内容を把握できない場合に、画像線密度を変えて再送することにより内容を把握し易くすることができる。
また、転送画像位置を変更して再送することにより、移動先での受信画像確認を有効なものとすることができる。
【図面の簡単な説明】
【００１１】
【図１】通信ネットワークシステムを示す簡略構成図である。
【図２】図１に示す通信端末のブロック図である。
【図３】通信内容を示す説明図である。
【図４】画像表示例を示す説明図である。
【図５】画像表示例を示す説明図である。
【図６】画像表示の分割例を示す説明図である。
【図７】分割された画像表示例を示す説明図である。
【符号の説明】
【００１２】
１  通信端末
２  端末
３  携帯端末
１１  主制御部
【図１】
2005268969.tif 000003
【図２】
2005268969.tif 000004
【図３】
2005268969.tif 000005
【図４】
2005268969.tif 000006
【図５】
2005268969.tif 000007
【図６】
2005268969.tif 000008
【図７】
2005268969.tif 000009